【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
アクティブマトリクス駆動法によって駆動される電気光学装置であって、
発光素子と前記発光素子の発光の階調を調節するための回路とをそれぞれ含む複数の単位回路がマトリクス状に配列された単位回路マトリクスと、
前記単位回路マトリクスの行方向に沿って配列された単位回路群にそれぞれ接続された複数の走査線と、
前記単位回路マトリクスの列方向に沿って配列された単位回路群にそれぞれ接続された複数のデータ線と、
前記複数の走査線に接続され、前記単位回路マトリクスの１つの行を選択するための走査線駆動回路と、
前記発光素子の発光の階調に応じたデータ信号を生成して、前記複数のデータ線のうちの少なくとも１つのデータ線上に出力することが可能なデータ信号生成回路と、
前記走査線駆動回路によって選択された行に存在する少なくとも１つの単位回路に前記データ線を介して前記データ信号が供給される際に、前記データ線の充電または放電を加速することが可能な充放電加速部と、
を備える電気光学装置。
【請求項２】
請求項１記載の電気光学装置であって、
前記単位回路による前記発光階調の調節は、前記データ信号の電流値に応じて行われる、電気光学装置。
【請求項３】
請求項１または２記載の電気光学装置であって、
前記発光素子は、流れる電流値に応じて発光の階調が変化する電流駆動型の素子であり、
前記単位回路は、
前記発光素子に流れる電流の経路に設けられた駆動トランジスタと、
前記駆動トランジスタの制御電極に接続され、前記駆動トランジスタの動作状態に応じた電荷量を保持することによって、前記発光素子に流れる電流値を設定するための保持キャパシタと、を有し、
前記保持キャパシタの蓄積電荷量が前記データ信号によって調整される、電気光学装置。
【請求項４】
請求項３記載の電気光学装置であって、
前記単位回路は、さらに、
前記データ線と前記保持キャパシタとに接続され、前記データ信号によって前記保持キャパシタの蓄積電荷量を調整する際に使用される第１のスイッチングトランジスタと、
前記駆動トランジスタおよび前記発光素子と直列に接続された第２のスイッチングトランジスタと、
を有しており、
各走査線は、前記第１と第２のスイッチングトランジスタのそれぞれに接続された第１と第２のサブ走査線を含んでおり、
前記走査線駆動回路は、
（ｉ）所定の第１の期間において、前記第１のスイッチングトランジスタをオン状態に設定して、前記保持キャパシタの蓄積電荷量の調整を行う第１の動作と、
（ｉｉ）前記第１の期間の後の第２の期間において、前記第１のスイッチングトランジスタをオフ状態に設定するとともに前記第２のスイッチングトランジスタをオン状態に設定して、前記発光素子に発光を行わせる第２の動作と、
を実行する、電気光学装置。
【請求項５】
請求項１ないし４のいずれかに記載の電気光学装置であって、
前記充放電加速部は、前記複数のデータ線をプリチャージすることが可能であり、プリチャージ電圧を任意に設定可能なプリチャージ回路を含む、電気光学装置。
【請求項６】
請求項４記載の電気光学装置であって、
前記充放電加速部は、前記複数のデータ線をプリチャージすることが可能なプリチャージ回路を含み、
前記プリチャージ回路は、前記第２の期間以外の期間であって前記第１の期間が完了する前の特定のプリチャージ期間において前記プリチャージを実行する、電気光学装置。
【請求項７】
請求項６記載の電気光学装置であって、
前記プリチャージ期間は、前記第１の期間が開始される以前に設定される、電気光学装置。
【請求項８】
請求項６記載の電気光学装置であって、
前記プリチャージ期間は、前記第１の期間の初期の一部を含む期間に設定される、電気光学装置。
【請求項９】
請求項５ないし８のいずれかに記載の電気光学装置であって、
前記プリチャージ回路は、前記データ線をプリチャージすることにより、前記データ線を発光階調の中央値以下の低い階調範囲に相当する電圧とする、電気光学装置。
【請求項１０】
請求項９記載の電気光学装置であって、
前記プリチャージ回路は、前記データ線をプリチャージすることにより、前記データ線をゼロでない最も低い発光階調の近傍の階調に相当する電圧とする、電気光学装置。
【請求項１１】
請求項５ないし１０のいずれかに記載の電気光学装置であって、
各単位回路は、複数の色成分毎にそれぞれ設けられており、
前記プリチャージ回路は、各色成分毎に異なる電位で前記データ線を充電または放電することが可能である、電気光学装置。
【請求項１２】
請求項１ないし４のいずれかに記載の電気光学装置であって、
前記充放電加速部は、前記各発光素子の発光の階調に応じたデータ信号の電流値に、前記データ線の充電または放電を加速するための電流値を付加する付加電流回路を含む、電気光学装置。
【請求項１３】
請求項１２記載の電気光学装置であって、
前記電流値の付加は、前記各発光素子の発光の階調に応じたデータ信号が生成される期間の初期に実行される、電気光学装置。
【請求項１４】
請求項１２または１３記載の電気光学装置であって、
前記付加電流回路により生成される付加電流の電流値は、前記各発光素子の発光の階調に応じたデータ信号の電流値の最大値より小さく、前記データ信号の電流値の最小値より大きい、電気光学装置。
【請求項１５】
請求項１２ないし１４のいずれかに記載の電気光学装置であって、
前記付加電流回路は、各データ線に対して前記データ信号生成回路と並列に接続されたトランジスタを含む、電気光学装置。
【請求項１６】
請求項１２ないし１４のいずれかに記載の電気光学装置であって、
前記付加電流回路は、外部からの制御により前記付加電流の電流値を切り換え可能な回路を含む、電気光学装置。
【請求項１７】
請求項１２ないし１４のいずれかに記載の電気光学装置であって、
前記付加電流回路は、複数のデータ線に対して１つ設けられる、電気光学装置。
【請求項１８】
発光素子と前記発光素子の発光の階調を調節するための回路とをそれぞれ含む複数の単位回路がマトリクス状に配列された単位回路マトリクスと、各発光素子の発光の階調に応じたデータ信号を各単位回路に供給するための複数のデータ線と、を備えたアクティブマトリクス駆動型の電気光学装置の駆動方法であって、
少なくとも１つの単位回路に前記データ線を介して前記データ信号を供給する際に、前記データ線の充電または放電を加速することを特徴とする電気光学装置の駆動方法。
【請求項１９】
請求項１８記載の方法であって、
前記単位回路による前記発光素子の発光階調の調節は、電流として供給される前記データ信号に応じて行われる、方法。
【請求項２０】
請求項１８または１９記載の方法であって、
前記充電または放電の加速は、所定のプリチャージ期間において前記データ線をプリチャージすることによって行われる、方法。
【請求項２１】
請求項２０記載の方法であって、
（ｉ）所定の第１の期間において、前記データ信号による前記単位回路の設定を行う過程と、
（ｉｉ）前記第１の期間の後の第２の期間において、前記単位回路の設定状態に従って前記発光素子が発光する過程と、
を備え、
前記プリチャージ期間は、前記第２の期間以外の期間であって前記第１の期間が完了する前に設定される、方法。
【請求項２２】
請求項２１記載の方法であって、
前記プリチャージ期間は、前記第１の期間が開始される以前に設定される、方法。
【請求項２３】
請求項２１記載の方法であって、
前記プリチャージ期間は、前記第１の期間の初期の一部を含む期間に設定される、方法。
【請求項２４】
請求項２０ないし２３のいずれかに記載の方法であって、
前記プリチャージは、発光階調の中央値以下の低い階調範囲に相当する電圧値に前記データ線を充電または放電するように実行される、方法。
【請求項２５】
請求項２４記載の方法であって、
前記プリチャージは、ゼロでない最も低い発光階調の近傍の階調に相当する電圧値に前記データ線を充電または放電するように実行される、方法。
【請求項２６】
請求項２０ないし２５のいずれかに記載の方法であって、
各単位回路は、複数の色成分毎にそれぞれ設けられており、
前記プリチャージは、各色成分毎に異なる電位で前記データ線を充電または放電するように実行される、方法。
【請求項２７】
請求項１８または１９記載の方法であって、
前記充電または放電の加速は、前記各発光素子の発光の階調に応じたデータ信号の電流値に、前記充電または放電の加速のための電流値を付加することによって行われる、方法。
【請求項２８】
請求項２７記載の方法であって、
前記電流値の付加は、前記各発光素子の発光の階調に応じたデータ信号が生成される期間の初期に実行される、方法。
【請求項２９】
流れる電流の電流値に応じて動作が制御される複数の電流駆動素子と、
各電流駆動素子に、前記電流駆動素子の動作状態を規定するデータ信号を供給するためのデータ線と、
前記データ線に前記データ信号を出力するためのデータ信号生成回路と、
前記データ線を介して前記データ信号が前記電流駆動素子に供給される際に、前記データ線の充電または放電を加速するための充放電加速部と、
を備える電子装置。
【請求項３０】
請求項２９記載の電子装置であって、
前記充放電加速部は、前記複数のデータ線をプリチャージすることが可能なプリチャージ回路を含む、電子装置。
【請求項３１】
請求項２９記載の電子装置であって、
前記充放電加速部は、前記電流駆動素子の動作状態に適した前記データ信号の電流値に、前記データ線の充電または放電を加速するための電流値を付加する付加電流回路を含む、電子装置。
【請求項３２】
入力信号に対応して電流を生成する電流生成回路と、電気光学素子を備えた単位回路と、前記電流を前記単位回路に供給するデータ線と、を含む電気光学装置であって、  前記入力信号の変化に伴う前記電流の変化を加速する加速手段を備えることを特徴とする電気光学装置。
【請求項３３】
前記加速手段は、前記データ線の電位を、所定の電位に設定するプリチャージ回路であることを特徴とする請求項３２記載の電気光学装置。
【請求項３４】
前記加速手段は、前記データ線に流れる電流の一部の電流経路となる付加電流回路であることを特徴とする請求項３２記載の電気光学装置。
【請求項３５】
前記入力信号の変化に伴う前記電流の変化量に基づいて、前記加速手段の使用の要否を判断する判断回路を備えていることを特徴とする請求項３２乃至３４の何れかに記載の電気光学装置。
【請求項３６】
入力信号に対応して電流を生成する電流生成回路と、電流駆動素子を備えた単位回路と、前記電流を前記単位回路に供給するデータ線と、を含む電子装置であって、
前記入力信号の変化に伴う前記電流の変化を加速する加速手段を備えることを特徴とする電子装置。
【請求項３７】
前記加速手段は、前記データ線の電位を、所定の電位に設定するプリチャージ回路であることを特徴とする請求項３６記載の電子装置。
【請求項３８】
前記加速手段は、前記データ線に流れる電流の一部の電流経路となる付加電流回路であることを特徴とする請求項３６記載の電子装置。
【請求項３９】
前記入力信号の変化に伴う前記電流の変化量に基づいて、前記加速手段の使用の要否を判断する判断回路を備えていることを特徴とする請求項３６乃至３８の何れかに記載の電子装置。
【請求項４０】
請求項３２乃至３５の何れかに記載の電気光学装置を、表示部として利用したことを特徴とする電子機器。
【手続補正２】
【補正対象書類名】明細書
【補正対象項目名】図面の簡単な説明
【補正方法】変更
【補正の内容】
【図面の簡単な説明】
【図１】
有機ＥＬ素子を用いた表示装置の一般的な構成を示すブロック図。
【図２】
本発明の第１実施例としての表示装置の概略構成を示すブロック図。
【図３】
表示マトリクス部２００とデータ線ドライバ４００の内部構成を示すブロック図。
【図４】
第１実施例の画素回路２１０の内部構成を示す回路図。
【図５】
第１実施例の画素回路２１０の通常の動作を示すタイミングチャート。
【図６】
第１実施例の単一ラインドライバ４１０の内部構成を示す回路図。
【図７】
付加電流回路４３０を利用した場合のプログラミング期間Ｔｐｒにおける電流値の変化を示す説明図。
【図８】
プログラミング期間Ｔｐｒにおけるデータ線Ｘｍの電荷量Ｑｄの変化を示す説明図。
【図９】
有機ＥＬ素子の発光の階調Ｇと、プログラミング電流Ｉｍと、データ線の電荷量Ｑｄとの関係を示すグラフ。
【図１０】
本発明の第２実施例としての表示装置の概略構成を示すブロック図。
【図１１】
第２実施例の画素回路２１０ａの内部構成を示す回路図。
【図１２】
第２実施例の画素回路２１０ａの通常の動作を示すタイミングチャート。
【図１３】
第２実施例の単一ラインドライバ４１０ａを示す回路図。
【図１４】
第２実施例における有機ＥＬ素子の発光の階調Ｇと、プログラミング電流Ｉｍと、データ線の電荷量Ｑｄとの関係を示すグラフ。
【図１５】
第２実施例でのプログラミング期間Ｔｐｒにおけるデータ線Ｘｍの電荷量Ｑｄの変化を示す説明図。
【図１６】
本発明の第３実施例の単一ラインドライバ４１０ｂを示す回路図。
【図１７】
第３実施例の付加電流回路４３０ａを利用した場合のプログラミング期間Ｔｐｒの動作を示す説明図。
【図１８】
本発明の第４実施例としての表示装置の構成を示すブロック図。
【図１９】
第４実施例におけるプログラミング期間Ｔｐｒの動作を示す説明図。
【図２０】
プリチャージ期間の変形例を示す説明図。
【図２１】
プリチャージ期間の変形例を示す説明図。
【図２２】
プリチャージ回路の配置の変形例を示すブロック図。
【図２３】
プリチャージ回路の配置の変形例を示すブロック図。
【図２４】
プリチャージ回路の配置の変形例を示すブロック図。
【図２５】
プリチャージ回路の配置の変形例を示すブロック図。
【図２６】
プリチャージ回路の配置の変形例を示すブロック図。
【図２７】
本発明に係る表示装置を適用した電子機器の一例としてのパーソナルコンピュータの構成を示す斜視図。
【図２８】
本発明に係る表示装置を適用した電子機器の一例としての携帯電話の構成を示す斜視図。
【図２９】
本発明に係る表示装置を適用した電子機器の一例としてのディジタルスチルカメラの背面側の構成を示す斜視図。
【図３０】
本発明の他の実施例としての磁気ＲＡＭデバイスの構成を示すブロック図。
【図３１】
磁気ＲＡＭの概略構成を示す説明図。
【手続補正３】
【補正対象書類名】図面
【補正対象項目名】図１６
【補正方法】変更
【補正の内容】
【図１６】
2003114645.tif 000001